(57)【要約】      （修正有）【課題】ペーパータオルの満杯状態から最後の１枚まで皺にならずに、１枚づつ容易に抜き取ることができ、しかも箱の中にペーパータオルが残り少なくなった時でも外から残量を容易に確認できるように工夫したペーパータオル用箱を提供する。【解決手段】外蓋１と内蓋２とから蓋部が構成され、前記外蓋１は、折り目Ｎを介して、折り曲げ自在に内蓋２に連接し、この内蓋２には、抜き取り口７が形成されてなるペーパータオル用箱であって、前記内蓋２の中央部で長辺に平行にウィング６が備えられるとともに、これらのウィング６に平行に折り目Ｒが備えられ、かつ、これらの折り目Ｒを介して前記ウィング６が、内蓋２から立設されることにより、抜き取り口７が形成されてなることを特徴とするペーパータオル用箱。【選択図】図３
0003109997.tif 000002
【実用新案登録請求の範囲】
【請求項１】
外蓋（１）と内蓋（２）とから蓋部が構成され、
前記外蓋（１）は、折り目（Ｎ）を介して、折り曲げ自在に前記内蓋（２）に連接し、
この内蓋（２）には、抜き取り口（７）が形成されてなるペーパータオル用箱であって、
前記内蓋（２）の中央部で長辺に平行にウィング（６）、（６）が備えられるとともに、これらのウィング（６）、（６）に平行に折り目（Ｒ）、（Ｒ）が備えられ、
かつ、これらの折り目（Ｒ）、（Ｒ）を介して前記ウィング（６）、（６）が、前記内蓋（２）から立設されることにより、抜き取り口（７）が形成されてなることを特徴とするペーパータオル用箱。
【請求項２】
前記抜き取り口（７）に透明紙（８）が覆設されるとともに、
この透明紙（８）には、長辺に平行に切れ目Ｓが設けられてなることを特徴とする請求項１記載のペーパータオル用箱。
【請求項３】
前記ペーパータオル用箱に備える側壁（３）に覘き窓（３２）が穿設され、
かつ、この覘き窓（３２）に透明紙（９）が覆設されてなることを特徴とする請求項１記載のペーパータオル用箱。
【考案の詳細な説明】
【技術分野】
【０００１】
この考案は、ペーパータオルを収納する箱に関する。詳しくは、箱からペーパータオルを皺にならないように抜き取ることができ、場合によっては、ペーパータオルの残量を箱の外から把握することもできるペーパータオル用箱に関する。
【背景技術】
【０００２】
ペーパータオル用箱が、家庭では台所、トイレ、あるいは、病院で入院患者のベッド等の傍に置いて手軽に利用されている。従来から、多数枚のペーパータオルを一枚づつ折り畳み、かつ、交互に噛み合うように積層したペーパータオル束を収容するための箱 が知られている。この種の箱では、使用に際してペーパータオルを一枚ずつ箱から抜き取ることができ、その抜き取りに伴って後続のペーパータオルの端が自動的に一定量だけ抜き取り口からはみ出るように構成されている。
【０００３】
このような箱においては、ペーパータオルの抜き取り口が蓋部に備える長穴状の狭い間隙から形成されるものが多く提供されている。ペーパータオルに使われる原紙は、ティッシュペーパーに比較して重く、かつ、腰があるので箱の抜き取り口における摩擦抵抗が大きい、
【０００４】
また、箱が閉じられているため、中のペーパータオルの残量を確認するのに、箱の上から抜き取り口を通して見た感じ、持った時の重さ等により、あいまいにしか残量を確認することができない。
【０００５】
また、他のティッシュペーパーの用途ではあるが、量が減ることによって抜き取り難くなったティッシュを箱から抜き取り易くするティッシュ箱が提案されている（例えば、特許文献１参照）。        
【０００６】
【特許文献１】特開平８−１０４３７９号公報
【考案の開示】
【考案が解決しようとする課題】
【０００７】
しかしながら、従来のペーパータオル用箱には、次のような問題点があった。
【０００８】
ペーパータオルは重く、腰がある。そのため、箱から抜き取る際、ペーパータオルと抜き取り口との摩擦が発生し、強く引っ張る必要がある。しかし強引に抜き取ろうとすると、ペーパータオルが皺になる。特に、台所では、ペーパータオルを平らに敷いて使う用途が多いので、皺になったペーパータオルは好ましくない。
【０００９】
即ち、ペーパータオルに使われる原紙は、ティッシュペーパーに比較して重く、摩擦抵抗が大きいので、残りのペーパータオル束が中で纏まって抜き取り口から皺にならずに抜き取ることが難しい。
【００１０】
そして、抜き取り口からはみ出た次のペーパータオルが周囲の塵埃を吸着して不衛生である。特に、台所、病院での使用の際には問題である。
【００１１】
他方、ペーパータオル用の箱では、ペーパータオルの積層状態やペーパータオル間の摩擦力の微妙な変化等により、１枚のペーパータオルの引き出しに随伴して出てくるはずの後続のタオルが出なくなることもある。このような場合、抜き取り口に指を挿入して当該ペーパータオルの端部を摘み出す必要がある。
【００１２】
そこで、本考案の主たる課題は、ペーパータオルの満杯状態から最後の１枚まで皺にならずに、１枚づつ容易に抜き取ることができ、しかも箱の中にペーパータオルが残り少なくなった時でも外から残量を容易に確認できるように工夫したペーパータオル用箱を提供することを目的としている。
【００１３】
さらに、本考案は、抜き取り口からはみ出た後続のペーパータオルが周囲の塵埃を吸着して不衛生であるので、ペーパータオルを衛生的に保管するために抜き取り口を覆うように二重の蓋を備えるペーパータオル用箱を提供することを目的としている。あるいは、用途、使用状況や好みに応じて外蓋を切り除くことにより通常の使い方ができるように工夫したペーパータオル用箱を提供することを目的としている。
【００１４】
即ち、通常のペーパータオル用箱は、ティッシュ用と略同じ形状であるが、本考案では、ペーパータオルの材質、用途を考慮し、抜き取り口の形状を工夫することにより、使い勝手と使用感が向上するペーパータオル用箱を提供するものである。
【課題を解決するための手段】
【００１５】
上記目的を達成するために、請求項１の考案は、外蓋（１）と内蓋（２）とから蓋部が構成され、前記外蓋（１）は、折り目（Ｎ）を介して、折り曲げ自在に前記内蓋（２）に連接し、この内蓋（２）には、抜き取り口（７）が形成されてなるペーパータオル用箱であって、前記内蓋（２）の中央部で長辺に平行にウィング（６）、（６）が備えられるとともに、これらのウィング（６）、（６）に平行に折り目（Ｒ）、（Ｒ）が備えられ、かつ、これらの折り目（Ｒ）、（Ｒ）を介して前記ウィング（６）、（６）が、前記内蓋（２）から立設されることにより、抜き取り口（７）が形成されてなることを特徴とするペーパータオル用箱である。
【００１６】
また、請求項２の考案は、請求項１の考案の上記特徴に加えて、前記抜き取り口（７）に透明紙（８）が覆設されるとともに、この透明紙（８）には、長辺に平行に切れ目Ｓが設けられてなることを特徴とするペーパータオル用箱である。
【００１７】
また、請求項３の考案は、請求項１の考案の上記特徴に加えて、前記ペーパータオル用箱に備える側壁（３）に覘き窓（３２）が穿設され、かつ、この覘き窓（３２）に透明紙（９）が覆設されてなることを特徴とするペーパータオル用箱である。
【００１８】
ここで、本明細書でいう「透明紙」とは、箱の中に収納されたペーパータオルを衛生的に保管するとともに、外から覗き込み、中のペーパータオルの残量を確認することができるシートを意味し、材質はナイロン、ビニールポリエチレン等からなる。
【考案の効果】
【００１９】
本考案によれば、通常のペーパータオルは勿論のこと、薄くて柔らかいペーパータオルの場合であっても、満杯状態から最後の一枚までペーパータオルを１枚づつ皺が発生しないように引き出すことができ、しかもペーパータオルの残量を外から容易に確認することができる。また、ペーパータオルに周囲の塵埃が吸着することなく衛生的に保管できるような効果を奏するものである。
【考案を実施するための最良の形態】
【００２０】
本考案の実施の形態を、添付図面に示した本考案の実施例に基づいて以下に具体的に説明する。
【実施例】
【００２１】
本考案の実施例について、図１〜図８を参照しながら説明する。図１は、本考案のペーパータオル用箱の外観を示す斜視図である。図２は、同上、ペーパータオル用箱の外蓋を開いた状態の斜視図である。図３は、同上、ペーパータオルの抜き取り口を開いた状態の斜視図である。図４は、同上、蓋の係止片の形状を示す平面図である。図５は、同上、ペーパータオルの抜き取り口端部の形状を示す平面図である。図６は、同上、覘き窓の形状を示す平面図である。図７は、同上、ペーパータオル用箱の使用方法を示す斜視図である。図８は、同上、ペーパータオル用箱の他の使用方法を示す斜視図である。なお、斜視図におけるペーパータオル用箱の天地を上下方向と称し、同箱の長辺方向を左右方向とも称し、短辺方向を前後方向とも称する。
【００２２】
なお、本考案に使用するペーパータオルは、優れた吸水性とソフト感のある重ね紙であり、高級パルプを使用したものである。
【００２３】
図１に蓋部を閉じた状態を示すように、この発明のペーパータオル用箱 は、蓋部と底部と前後の側壁３および左右の側壁４により六面体の直方体状に形成される。図１において、側壁３の左右方向がペーパータオル用箱の長辺を形成し、側壁４の前後方向が短辺を形成する。外蓋１の前方延長上には、折り目Ｐを介して折り曲げられる係止片５が連接し、側壁３に備える係止溝３１に係止して外蓋１を閉じる。箱の内方はペーパータオルの収納部となっている。なお、側壁３には、覘き窓３２を備える。そして、覘き窓３２の内あるいは外方から透明紙９が貼着される。なお、本実施例では、側壁３の左右方向をペーパータオル用箱の長辺、側壁４の前後方向を短辺として説明するが、他の実施態様として、長辺と短辺が等しい長さでもよい。
【００２４】
ペーパータオル用箱Ｂの蓋部は二重構造になっており、図２に示すように、折り目Ｎを介して外蓋１を外方へ折り曲げ、開くと、外蓋１と内方で重なっていた内蓋２が現れる。ここで、折り目Ｎは、通常の直線状の折り目でもよく、ミシン目状の折り目でもよい。特に、ミシン目状の折り目は、後述するように外蓋１を折り目Ｎから切り除いて使用する場合に、便利である。内蓋２は、ペーパータオル用箱Ｂの前後方向中央部において、左右方向の合わせ目Ｑを介して前後に分割される。そして、合わせ目Ｑの前後にウィング６、６がそれぞれ平行に、そして、これらのウィング６、６に平行にそれぞれ折り目Ｒを備える。この折り目Ｒは、ミシン目が好ましいが、折り癖を付した通常の折り目でも構わない。そして、合わせ目Ｑの両端には抜き取り穴７１が菱形状に形成される。更に、側壁３には、外蓋１を閉じる際、係止片５を係合するための係止溝３１を備える。これによって、外蓋１を側壁３に確実に係止できる。
【００２５】
そして、図３に示すように、内蓋２に備える前後のウィング６、６を折り目Ｒに沿って、それぞれ内蓋２から起立するように折り曲げると、中央部の合わせ目Ｑが前後に開いて抜き取り口７が形成される。この抜き取り口７には、中に収納されたペーパータオルＴを覆うように透明紙８が内蓋２の内あるいは外方から貼着されており、そして、この透明紙８の中央部において長辺方向に平行に切れ目Ｓを設ける。この抜き取り口７の切れ目Ｓの隙間から、点線で示すペーパータオルＴが上方へ抜き取られる。ここで、ペーパータオルＴを抜き取るための開口長さは、抜き取り口７とこの両端の抜き取り穴７１とを合わせたものとなる。
【００２６】
図４に、係止片５の形状を示し、図（ａ）は、一案で、図（ｂ）は、改良型である。図（ａ）に示す係止片５は、真ん中の頂片５１の両側に脇片５２が形成される。図（ｂ）に示す係止片５にも、真ん中の頂片５１‘の両側に脇片５２‘が形成される。図（ａ）と図（ｂ）の相違点は、頂片の膨らみ度合いおよび切り込みの形状である。図（ｂ）の頂片５１‘の膨らみが図（ａ）のそれより大きく、また、図（ａ）の切り込み５３が短い線状の切り込みであるのに対し、図（ｂ）の切り込み５３‘は鉤状に形成されるところにある。
【００２７】
図５に、抜き取り口７の左右両端に備える抜き取り穴７１で、ウィング６、６を閉じた形状を示す。図（ａ）は、一案で、図（ｂ）は、更にこれの改良型である。図（ａ）の抜き取り穴７１の隅は、ペーパータオル用箱Ｂの端側にエッジ７１ａを備え、箱の中央寄りにウィング６、６によりエッジ７１ｂが形成される。同様に、図（ｂ）の抜き取り穴７１の隅は、ペーパータオル用箱Ｂの端側にエッジ７１ａ‘を備え、箱の中央寄りにエッジ７１ｂ‘が形成される。図（ｂ）のエッジ７１ａ’、７１ｂ‘の開きの形状が図（ａ）に比較し、鋭角であるとともに、エッジ７１ａ’はペーパータオル用箱Ｂの端寄りに延びる。このようにして、抜き取り口７の開口長さをペーパータオルの幅サイズのぎりぎりまでワイドに延長するものである。従来のペーパータオル用箱に比べ、エッジ７１ａ‘は、箱の長辺方向の左右両端まで延びているので、抜き取り口７の開口長さが拡大される。
【００２８】
図６に、側壁３に備える覘き窓３２の形状を示し、図（ａ）は、一案で、図（ｂ）は、他の案である。図（ａ）の覘き窓３２の形状は略矩形状で、図（ｂ）の方は○形状である。
【００２９】
上記の構成からなるこの考案のペーパータオル用箱は、以下の様な作用があり、次のようにして使用される。
【００３０】
図３に示すように、抜き取り口７は、ウィング６、６が折り目Ｒ、Ｒに沿って内蓋２の面から起立し、開口がペーパータオル用箱の前後方向に大きく開くように形成される。更に、抜き取り口７の左右両端に備える抜き取り穴７１が箱の長辺方向へ菱形状に延長している。通常のペーパータオル用箱の抜き取り口に比べ、開口長さがペーパータオルの幅サイズのぎりぎりまでワイドに拡大される。以上のようにして、抜き取り口７において、ペーパータオル用箱の短辺方向の開口幅と長辺方向の開口長さが確保される。そして、特にペーパータオルＴの両端部で抜き取り穴７１が菱形状に開くのでペーパータオルＴを摘んで、ペーパータオルＴが皺にならず、破れることなく、また、先行のペーパータオルが後続のペーパータオルと絡みあったりすることがない。
【００３１】
側壁３に備える覘き窓３２の形状は略矩形状か○形状である。ペーパータオル用箱Ｂの底が深いような場合は、覘き窓３２の形状が上下に矩形状の方がペーパータオルの量を確実に把握することができる。覘き窓３２の形状が○の場合は、ペーパータオル用箱Ｂの大きさを小型化する場合に有効である。ここで、覘き窓３２の形状は、好みに応じて三角形、星形、花形等にすることでもよい。
【００３２】
抜き取り口７には、中に収納されたペーパータオルＴを覆うように透明紙８が内蓋２の内あるいは外方から貼着されており、この透明紙８の短辺方向中央部に隙間を小さくした切れ目Ｓを長辺方向に設ける。このことによって、ペーパータオルＴに塵埃が侵入、吸着し難い。切れ目Ｓは隙間を備えるのでペーパータオルＴを抜き取るのに支障は無い。また、透明紙８は透明なので、中のペーパータオルＴを確認できる。一方、側壁３に備える覘き窓３２の内あるいは外方にも透明紙８が貼着されているので、中のペーパータオルＴに塵埃が付着することがない。
【００３３】
図４に、係止片５の形状を示し、図（ｂ）の頂片５１‘の膨らみが図（ａ）のそれより大きく、また、図（ａ）の切り込み５３が線状のノッチであるのに対し、図（ｂ）の切り込み５３‘は鉤状に形成される。頂片５１‘の膨らみが大きい図（ｂ）の場合は、係止片５の係止溝３１への係合の度合いが大きくなる。また、切り込み５３‘が鉤状を示す図（ｂ）の場合は、係止溝３１へ一端係合すると、係止片５は、外れず外蓋１が閉じた状態を確実に保つことができる。その結果、透明紙８の切れ目Ｓの隙間を介して外部からペーパータオルＴへ塵埃が侵入し難くなり衛生的である。
【００３４】
本考案のぺーパータオル用箱の使用方法については、図７および図８に示すように、使う人のスタイルに合わせて自由に選択できる。その一つとして、ペーパータオルＴを抜き取らないような場合は、図７（ａ）に示すように内蓋２の面を外蓋１により覆うので、外部からペーパータオルＴへ塵埃が付着し難く衛生的である。そして、ぺーパータオルを抜き取る場合は、図７（ｂ）に示すように、外蓋１を開いて点線で示すぺーパータオルＴを上方へ引き出せばよい。一方、図８（ａ）に示すように外蓋１を折り目Ｎから切り除くことにより、図８（ｂ）のように、通常のティッシュペーパー用箱のような使い方をすることもできる。
【産業上の利用可能性】
【００３５】
なお、本考案のぺーパータオル用箱の使途は、タオル用に限るものではなく、ティッシュペーパーの用途に使ってもよい。箱の材料として各種型紙を使っているが、型紙以外の各種段ボール紙や、必要に応じてプラスチック等を用いても勿論よい。
【図面の簡単な説明】
【００３６】
【図１】本考案のペーパータオル用箱の外観を示す斜視図である。
【図２】同上、ペーパータオル用箱の外蓋を開いた状態の斜視図である。
【図３】同上、ペーパータオルの抜き取り口を開いた状態の斜視図である。
【図４】同上、蓋の係止片の形状を示す平面図である。
【図５】同上、ペーパータオルの抜き取り口端部の形状を示す平面図である。
【図６】同上、覘き窓の形状を示す平面図である。
【図７】同上、ペーパータオル用箱の使用方法を示す斜視図である。
【図８】同上、ペーパータオル用箱の他の使用方法を示す斜視図である。
【符号の説明】
【００３７】
Ｂ  ペーパータオル用箱
Ｔ  ペーパータオル
Ｎ  折り目
Ｐ  折り目
Ｑ  合わせ目
Ｒ  折り目
Ｓ  切れ目
Ｙ  矢印
Ｚ  矢印
１  外蓋
２  内蓋
３  側壁
３１  係止溝
３２  覘き窓
４  側壁
５  係止片
５１、５１‘  頂片
５２、５２‘  脇片
５３、５３‘  切り込み
６  ウィング
７  抜き取り口
７１  抜き取り穴
７１ａ  エッジ
７１ａ‘  エッジ
８  透明紙
９  透明紙
【図１】
0003109997.tif 000003
【図２】
0003109997.tif 000004
【図３】
0003109997.tif 000005
【図４】
0003109997.tif 000006
【図５】
0003109997.tif 000007
【図６】
0003109997.tif 000008
【図７】
0003109997.tif 000009
【図８】
0003109997.tif 000010